(57)【要約】【課題】  漸減するトレース間隔を有する集積導線ヘッドサスペンション８を提供すること。【解決手段】  末端コネクタパッド４０と先端コネクタパッド４４との間に延びている２つ以上の離間したトレース５０を含んでおり、トレース５０の間隔が、トレース５０の少なくとも一部の長さに沿って実質的に連続的に減少する、ディスクドライブヘッドサスペンション８のための集積導線屈曲部材１０。【選択図】      図２Ａ
2008276927.tif 000002
【特許請求の範囲】
【請求項１】
ディスクドライブヘッドサスペンションのための集積導線屈曲部材であって、
ばね金属基層と、
ばね金属基層の上の絶縁層と、
複数の末端コネクタパッドと、
複数の先端コネクタパッドと、
前記末端コネクタパッドと前記先端コネクタパッドとの間の伝送経路に沿った集積伝送線アレイであって、前記集積伝送線アレイが、前記絶縁層によって互いから電気的に絶縁された複数の離間したトレースを含み、少なくとも一部の前記伝送経路の上で実質的に連続的に減少している間隔を有している、集積伝送線アレイと
を備える、集積導線屈曲部材。
【請求項２】
前記集積伝送線が、前記末端コネクタパッドから前記先端コネクタパッドへの方向に間隔を実質的に連続的に減少する、請求項１に記載の集積導線屈曲部材。
【請求項３】
前記集積伝送線が、前記先端コネクタパッドから前記末端コネクタパッドへの方向に間隔を実質的に連続的に減少する、請求項１の集積導線屈曲部材。
【請求項４】
前記複数のトレースが、前記絶縁層の上に延びる、請求項１に記載の集積導線屈曲部材。
【請求項５】
前記複数のトレースが、前記絶縁層の対向する側面上に第１および第２の積層されたトレースを含む、請求項１の集積導線屈曲部材。
【請求項６】
前記間隔が、隣接する前記末端コネクタパッドから隣接する前記先端コネクタパッドへ実質的に連続的に減少する、請求項１に記載の集積導線屈曲部材。
【請求項７】
前記間隔が、線形関係に応じて実質的に連続的に減少する、請求項１に記載の集積導線屈曲部材。
【請求項８】
前記間隔が、非線形関係に応じて実質的に連続的に漸減する、請求項１に記載の集積導線屈曲部材。
【請求項９】
前記集積伝送線アレイの特性インピーダンスが、末端コネクタパッドから先端コネクタパッドへ約１．５以上の倍率で減少する、請求項１に記載の集積導線屈曲部材。
【請求項１０】
前記集積伝送線アレイが、カスケード状の第１および第２のトレース区画で構成されて、前記第１のトレース区画が、前記第２のトレース区画とは異なるトレースの数を含んでいる、請求項に記載１の集積導線屈曲部材。
【請求項１１】
末端コネクタパッドと先端コネクタパッドとの間に延びている２以上の離間したトレースを備え、前記トレースの間の間隔が、前記トレースの少なくとも一部の長さに沿って実質的に連続的に減少する、ディスクドライブヘッドサスペンションのための、集積導線屈曲部材。
【請求項１２】
前記トレースの間の間隔が、前記末端コネクタパッドからの距離を増加することで前記トレースの前記一部の長さに沿って実質的に連続的に減少する、請求項１１に記載の集積導線屈曲部材。
【請求項１３】
前記トレースの間の間隔が、線形関係に応じて実質的に連続的に減少する、請求項１１に記載の集積導線屈曲部材。
【請求項１４】
前記トレースの間の間隔が、隣接する前記末端コネクタパッドから隣接する前記先端コネクタパッドへ実質的に連続的に減少する、請求項１１に記載の集積導線屈曲部材。
【請求項１５】
前記トレースが、同一平面上のトレースを含む、請求項１１に記載の集積導線屈曲部材。
【請求項１６】
前記トレースが、積層されたトレースを含む、請求項１１に記載の集積導線屈曲部材。
【請求項１７】
末端コネクタパッドと先端コネクタパッドとの間に延びている複数の離間した導線と、前記末端パッドでの一組の導線間の末端コネクタパッドのインピーダンスと、前記先端コネクタパッドでの導線間の先端コネクタパッドのインピーダンスとを有する、ディスクドライブヘッドサスペンションの型の集積導線屈曲部材において、前記末端パッドでの前記一組の導線間の前記末端コネクタパッドのインピーダンスが、前記先端コネクタパッドでの前記導線間の前記先端コネクタパッドのインピーダンスとは実質的に異なるように、少なくとも前記トレースの一部の長さに沿って実質的に連続的に減少する前記トレースの間の間隔を備えている、集積導線屈曲部材。
【請求項１８】
前記末端のパッドでの前記一組の導線間の前記末端コネクタパッドのインピーダンスが、前記先端コネクタパッドでの前記導線間の前記先端コネクタパッドのインピーダンスよりも実質的に大きいように、前記一組のトレース間の間隔が、前記末端コネクタパッドからの距離を増加することで減少する、請求項１７に記載の集積導線屈曲部材。
【請求項１９】
間隔が減少する前記トレースの前記一部の長さが、隣接する前記末端コネクタパッドから隣接する前記先端コネクタパッドへ延びる、請求項１７に記載の集積導線屈曲部材。
【請求項２０】
前記トレースが、積層されたトレースを含む、請求項１７に記載の集積導線屈曲部材。
【発明の詳細な説明】
【技術分野】
【０００１】
本発明は、一般にディスクドライブヘッドサスペンションに関する。特に、本発明は、サスペンション用の集積導線屈曲部材（ｆｌｅｘｕｒｅ）である。
【背景技術】
【０００２】
無線または集積導線屈曲部材を伴うディスクドライブヘッドサスペンションが、通常知られていて、例えば、以下の米国特許で明らかにされており、そのすべては、参照として本明細書内に組み込まれている。
【特許文献１】米国特許第５，６０８，５９１号明細書
【特許文献２】米国特許第５，６３１，７８６号明細書
【特許文献３】米国特許第５，７１７，５４７号明細書
【特許文献４】米国特許第５，７３７，１５２号明細書
【特許文献５】米国特許第５，９９５，３２８号明細書
【特許文献６】米国特許第６，０３８，１０２号明細書
【特許文献７】米国特許第６，２７５，３５８号明細書
【特許文献８】米国特許第６，８３９，２０４号明細書
【特許文献９】米国特許第６，９７５，４８８号明細書
【発明の開示】
【発明が解決しようとする課題】
【０００３】
読み出し／書き込みヘッドおよび関連するディスクドライブ技術開発の継続には、機械的および電気的な仕様を有する屈曲部材の改良を必要とする。例えば、読み出し／書き込みヘッドは、多くの場合、プリアンプ回路とは著しく異なる特性インピーダンスを有する。上記のインピーダンス不整合は、さまざまな問題を起こす。例えば、読み出し／書き込みヘッドとプリアンプ回路との間のインピーダンス不整合は、信号反射と電力損失を与えることがありえる。したがって、集積導線屈曲部材のインピーダンス特性に対して、継続した改良の必要性が、残っている。
【課題を解決するための手段】
【０００４】
本発明は、集積導線屈曲部材を、トレース間隔が漸減するように改良すること屈曲部材である。一実施形態は、末端コネクタパッドと先端コネクタパッドとの間に延びている２つ以上の離間したトレースを含む。トレース間の間隔は、トレースの少なくとも一部の長さに沿って実質的に連続的に減少する。
【０００５】
本発明の別の実施形態にしたがう集積導線屈曲部材は、ばね金属層、ばね金属層上の絶縁層、複数の末端コネクタパッド、複数の先端コネクタパッド、および末端コネクタパッドから先端コネクタパッドへの集積伝送線アレイを含む。集積伝送線アレイは、絶縁層によって互いから電気的に絶縁される複数の離間したトレースを含む。トレース間の間隔は、少なくとも一部の伝送経路上で実質的に連続的に減少する。
【発明を実施するための最良の形態】
【０００６】
図１は、本発明の一実施形態にしたがう集積導線屈曲部材１０を含んでいるディスクドライブヘッドサスペンションを示す。サスペンション８は、図示された実施形態では３部品のアセンブリであって、屈曲部材１０に加えて装填ビーム１２とベースプレート１４を含むが、他の構成も考えられる。装填ビーム１２は、ステンレス鋼から通常は形成されるが、ビーム領域１６、ヒンジ領域１８および備え付け領域２０を含む。ベースプレート１４は、装填ビーム１２の近位端で、備え付け領域２０に溶接される。
【０００７】
屈曲部材１０は、集積導線または無線の屈曲部材であって、近位端２２と遠位端２４を有する。屈曲部材１０の図示された実施形態は、近位端２２から延びている尾部領域２６と、装填ビーム１２のビーム領域１６に溶接されるか、もしくは別の場合取り付けられる備え付けまたは基部領域２８と、基部領域２８から遠位に延びているジンバル（ｇｉｍｂａｌ）領域３０とを有する。屈曲部材１０は、少なくとも、誘電性材料の第１の絶縁層３２と、第１の集積伝送線アレイ３４と、第１の絶縁層３２の上に延びている第２の集積伝送線アレイ３６とを含む。伝送線アレイ３４、３６は、既知の付加的方法および減算的方法もしくはその一方によって形成される。
【０００８】
尾部領域２６の近位端は、サスペンション８が組み込まれるディスクドライブ内の電子部品への接続に適応する複数の末端コネクタパッド４０を含む。図示のために、図１に一般的に示されるように、接続パッド４０は、プリアンプ/駆動回路３８に接続されて示される。ジンバル領域３０は、変換器ヘッド（図示されず）を有しているヘッドスライダーを備え付けるためのスライダー備え付け領域４２を含む。
【０００９】
スライダー備え付け領域４２は、複数の先端コネクタパッド４４を含む。一般用語では、複数の先端コネクタパッド４４は、変換器ヘッドに電気的接続を提供するための接合パッドである。
【００１０】
基部領域２８およびジンバル領域３０の部分は、ばね金属層４８から形成される。この種類の用途では、ステンレス鋼が、ばね金属層４８に一般に使用される。接続パッド４０、４４とばね金属層４８を覆う集積伝送線アレイ３４、３６とを含んでいる電気的構造の部分は、間隔をあけられて、例えば、第１の絶縁層３２によってばね金属層４８から電気的に絶縁される。参考として、この種類の用途では、ポリイミドが、電気的絶縁を提供するための１つの利用可能な絶縁体材料である。
【００１１】
複数の先端コネクタパッド４４は、ばね金属層４８内の窓口部分上に延びるフライングパッドである。本発明の他の実施形態において、接続パッド４０、４４のいくつかまたは全部と集積伝送線アレイ３４、３６の部分またはすべては、ばね金属層４８によって支えられる、またはそれを覆う（例えば、集積伝送線アレイ３４、３６を含んでいるトレースは、ジンバル領域３０内の一組のばねアーム４６上に延びる）。
【００１２】
集積伝送線アレイ３４、３６は、各々、複数のトレースによって形成される。例えば、第１の集積伝送線アレイ３４は、複数のトレース５０を、例えば末端コネクタパッド４０から先端コネクタパッド４４へ伝送経路を形成する書き込みトレースを含み、一方で第２の集積伝送線アレイ３６は、複数のトレース５１を、例えば末端コネクタパッド４０から先端コネクタパッド４４への別の伝送経路を横断している読み出しトレースを含むが、他の構成が考えられる。第１および第２の集積伝送線アレイ３４、３６は、共通の層内で延びる同一平面上のトレースを含むが、続いてより詳細に解説されるように、多層または積層構成も考えられる。
【００１３】
図２Ａは、アレイ３４が一実施形態にしたがう末端コネクタパッド４０と先端コネクタパッド４４との間の伝送経路に沿って延びているときの、集積伝送線アレイ３４に対する相対的なトレースの位置を示している概略図である。参考として、トレース間の位置はＹ軸に沿って定められるのに対し、伝送経路に沿った相対的な位置は図２Ａ内のＸ軸に沿って定められている。屈曲部材１０のさまざまな部分の相対的位置は、通常、図２Ａ内でＸ軸に沿って示されており、末端コネクタパッド４０、尾部領域２６、基部領域２８、ジンバル領域３０と先端コネクタパッド４４を含む。
【００１４】
一実施形態では、第１の集積伝送線アレイ３４の離間したトレース５０および第２の伝送線アレイ３６のトレース５１もしくはその一方は、第１の組の電気的に接続された信号導電トレース５０ａ、５０ｃ、５０ｅは、第２の組の電気的に接続された導電トレース５０ｂ、５０ｄ、５０ｆが有している第２の極性をとは逆の第１の極性を有している、差し込み構成を有する。伝送線アレイ３４、３６の一方または両方は、２つのトレース、３つのトレース、４つのトレースまたは６つのトレース構成を有しているが、他の構成も考えられる。図３〜図５を参照して、より詳細に記載されるように、伝送線アレイ３４、３６の一方または両方に対する積層または多層トレース構成も考えられることも理解されなければならない。
【００１５】
一般用語では、集積伝送線アレイ３４、３６の一方または両方は、それらがそれぞれ横断する少なくとも一部の伝送経路上での実質的に連続的に減少しているトレース間の間隔によって特徴づけられる。より詳細に記載されるように、トレース５０間の漸減するまたは実質的に減少している間隔は、集積伝送線アレイ３４が先端コネクタパッド４４でよりも末端コネクタパッド４０で、より高い特性インピーダンスを有する原因になる。この変化するインピーダンス特性により、末端コネクタパッド４０と先端コネクタパッド４４にそれぞれ接続されるドライブ構成要素間のインピーダンス整合を容易にすることができる。上記の連続的に漸減するトレース間の間隔とこのように漸減するインピーダンスは、電気的性能の改良を促進する。例えば、垂直磁気記録ライター（ＰＭＲ）のような書き込みヘッド（図示されず）により表されるインピーダンスは、書き込みヘッドを駆動するプリアンプ回路３８（例えば、４０オーム超過）よりも非常に低い（例えば、２０オーム未満）である。
【００１６】
書き込みヘッド（図示されず）に接続される先端コネクタパッド４４から対応する末端コネクタパッド４０までのインピーダンスの減少する漸減は、集積伝送線アレイ３４が、読み出しヘッドとプリアンプ/駆動回路３８の差分インピーダンスにそれぞれ、より緊密に整合するのを可能にして、それは、読み出しヘッドからプリアンプ/駆動回路３８内へのエネルギーの反射、電力の損失等のようなさまざまな問題を削減する。そのうえ、集積伝送線アレイ３４のフットプリントは、より効率的な空間の利用が望まれるジンバル領域３０に向かって削減されるように選択可能である。
【００１７】
非連続的または不連続的であるが、トレース間の間隔の漸減が考えられて、トレース間の間隔が減少している伝送経路部分の不連続性は、信号の反射、電力の消費、より高い帯域幅性能等に関する効果を落とすことがある。
【００１８】
一実施形態において、第１の伝送線アレイ３４は、第１のトレース５０ａ〜第６のトレース５０ｆを含むが、より大きいか、または、より小さいトレースも考えられる。先に参照されたように、第１の伝送線アレイ３４は、任意選択に差し込み設計であって、第１、第３、および第５のトレース５０ａ、５０ｃ、５０ｅは、第１の極性信号経路を形成するために屈曲部材１０上または外の位置で電気的に接続される。続いて、第２、第４、第６のトレース５０ｂ、５０ｄ、５０ｆは、第２の極性信号経路を形成するために屈曲部材１０上または外の位置で電気的に接続される。
【００１９】
集積伝送線アレイ３４は、集積伝送線アレイ３４が伝送経路に沿って延びるような、少なくとも２つのトレース５０間で連続的に減少するトレース間隔によって特徴づけられる。先に参照されたように、トレース間隔が減少すると、集積伝送線アレイ３４の特性インピーダンスは減少する傾向がある。このように、一実施形態では、伝送線アレイ３４の特性インピーダンスは、少なくとも末端コネクタパッド４０から離れて一部の伝送経路上で実質的に連続的に減少する、または、漸減する。
【００２０】
１つの限定されない例として、集積伝送線アレイ３４の特性インピーダンスは、任意に、末端コネクタパッド４０での約４０オームから先端コネクタパッド４４での約２０オームへ漸減する。集積伝送線アレイ３４は、特性インピーダンスで末端コネクタパッド４０から先端コネクタパッド４４へ約１．５以上の、約２以上の倍率または所望の他の倍率で減少する。
【００２１】
図２Ａは、全伝送経路上のすべての隣接したトレース５０間の実質的に連続的に減少している間隔を一般的に示す。特に、そして、図２Ａで一般的に示されるように、第１および第２のトレース５０ａ、５０ｂ間の間隔は、隣接する末端コネクタパッド４０から先端コネクタパッド４４へ実質的に連続的に減少する。第２および第３のトレース５０ｂ、５０ｃ間の間隔も、隣接する末端コネクタパッド４０から隣接する先端コネクタパッド４４へ実質的に連続的に減少する。個々の残りの隣接する組のトレース５０ｃと５０ｄ、５０ｄと５０ｅ、５０ｅと５０ｆは、同様に連続的に減少するか、または、末端コネクタパッド４０から離れてトレース間の間隔で漸減する。
【００２２】
他の実施形態では、すべてよりも少ない隣接したトレース５０ａ〜５０ｆがトレース間の間隔で連続的に減少する、および、全体よりも少ない伝送経路、例えば１以上の尾部領域２６、基部領域２８、ジンバル領域３０、またはその部分を通じてトレース間隔で連続的に減少するものもしくはその一方がある。
【００２３】
図２Ａで示される実施形態では、トレースの隣接した組の間の間隔は、実質的に線形関数または線型関係に応じて減少する。しかし、他の実施形態（図示されず）では、集積伝送線アレイ３４の１つまたはすべての隣接した組のトレース間の間隔は、指数関係または例えば２次関係のような他の非線形関係に応じて連続的に減少する。
【００２４】
相対的なトレース間隔値の１つの限定されない例が、理解を容易にするために示されている。特に、一実施形態では、第１および第６のトレース５０ａ、５０ｆは、約２４０マイクロメートル隣接した末端コネクタパッド４０、および、約１６０マイクロメートル隣接した先端コネクタパッド４４である。一実施形態では、各トレースは、約１２マイクロメートルの幅であり、個々のトレース５０ａ〜５０ｆの間の間隔は、約２４マイクロメートル隣接した末端コネクタパッド４０、および、約８マイクロメートル隣接した先端コネクタパッド４４であるが、他の寸法が考えられる。
【００２５】
隣接したトレースの間の間隔は、集積伝送線アレイ３４に対しては、同じである必要はない。別の限定されない例として、第１および第２のトレース５０ａ、５０ｂ間の、第３および第４のトレース５０ｃ、５０ｄ間の、ならびに、第５および第６のトレース５０ｅ、５０ｆ間の間隔は、約２４マイクロメートル隣接して末端コネクタパッド、および、約８マイクロメートル隣接して先端コネクタパッド４４である。次に、個々の第２および第３のトレース５０ｂ、５０ｃ間の、ならびに、第４および第５のトレース５０ｄ、５０ｅ間の間隔は、約２６マイクロメートル隣接して末端コネクタパッド４０、および、約１０マイクロメートル隣接して先端コネクタパッド４４であるが、他の寸法が考えられる。
【００２６】
いくつかの実施形態では、第２の集積伝送線アレイ３６は、漸減するトレース間隔も含み、第２の集積伝送線アレイ３６の１つまたはすべての隣接したトレース５１間の間隔は、所望により連続的にまたは不連続的に減少する。第２の集積伝送線アレイ３６は、第１の集積伝送線アレイ３４に関連して記載されるいずれの実施形態と同様の方法で漸減するが、漸減方向は、いくつかの実施形態では、第１の集積伝送線アレイ３４の方向と反対であるように選択可能である。特に、いくつかの実施形態では、隣接する先端コネクタパッド４４から隣接する末端コネクタパッド４０へのインピーダンスの連続的に減少する漸減のように、第２の集積伝送線アレイ３６は、先端コネクタパッド４４から離れて関連する伝送経路に沿ってインピーダンスで減少的に漸減する。
【００２７】
先端コネクタパッド４４から末端コネクタパッド４０へインピーダンスの減少する漸減は、先端コネクタパッド４４で接続されて、末端コネクタパッド４４に第２の集積伝送線アレイ３６を通じて接続される読み出しヘッド（図示されず）の電気的性能が改善される。特に、１つの限定されない例として、第２の集積伝送線アレイは、（先端コネクタパッド４４に接続される）読み出しヘッドでの約１００オームの特性インピーダンスから末端コネクタパッド４０での約７０オームの特性インピーダンスまで連続的に漸減させる。読み出しヘッドからのインピーダンスのこの減少する漸減は、読み出しヘッドの効率的な帯域幅を改善することができて、同様に、第２の集積伝送線アレイ３６と関連する漏話と雑音を削減する。
【００２８】
図２Ｂは、第１の集積伝送線アレイ３４の別の相対的な間隔の概略図である。図２Ｂは通常、第１の集積伝送線アレイ３４に関して記載されているが、同様の原理は、第２の集積伝送線アレイ３６に適用できる。図２Ｂは、組合せ２以上の漸減したトレース区画６０を含んでいる第１の集積伝送線アレイ３４を示す。特に、集積伝送線アレイ３４は、第２の区画６４とは異なるトレース構成を有している第１の区画６２をともなう、カスケード状の配置を含む。
【００２９】
一実施形態では、第１の区画６２は、第１および第２のレース５０Ｍ、５０Ｎを含んでおり、それは、次に第２の区画６４で、差し込みアレイの第３、第４、第５、および第６のトレース５０Ｐ、５０Ｑ、５０Ｒ、５０Ｓに分割されて、第３および第４のトレース５０Ｐ、５０Ｒは、第２のトレース５０Ｎと電気的に接続されて、第４および第６のトレース５０Ｑ、５０Ｒは、第５のトレース５０Ｍと電気的に接続される。トレースの数ならびにトレース幅および間隔の漸減のような他のトレース特性を変えることによって、多重のインピーダンス変化が実現される。
【００３０】
いくつかの実施形態では、第１の区画６２は、末端コネクタパッド４０から装填ビーム１２へ延びて、末端コネクタパッド４０での約１００オームから備え付け領域２８での約５０オームの特性インピーダンスまでの特性インピーダンスの漸減または変化をともなう。第２の区画６４は、備え付け領域２８とジンバル領域３０上で、特性インピーダンスの第２の漸減または変化を行う。例えば、第２の区画６４は、先端コネクタパッド４４での約３０オームへの末端コネクタパッド４０での約１００オームの全体の変化に対する、約５０オームから先端コネクタパッド４４での約３０オームへのインピーダンスの漸減によって特徴づけられる。他の実施形態では、末端コネクタパッド４０での約８０オームから先端コネクタパッド４４での約２０オームへの全体の変化が、達成される。このように、いくつかの実施形態は、例えば約４以上の倍率での特性インピーダンスの変化を含む。
【００３１】
任意のさまざまなカスケード状の配置が考えられる。例えば、他の実施形態（図示されず）では、漸減する４トレースの差し込み区画は、漸減する６トレースの差し込み区画に接続される。さらなる他の実施形態では、集積伝送線アレイ３４、３６の一方または両方は、より大きな数の区画を、例えば、漸減する８トレースの差し込み区画、漸減する６トレースの差し込みは区画、および漸減する４トレースの差し込み区画を含んでいる３区画を組み込む。そのうえ、インピーダンスは、図２Ｂに示されるそれとは反対方向に漸減することができる、すなわち、インピーダンスは、先端コネクタパッド４４から離れて伝送経路に沿った方向にカスケード状に減少する。
【００３２】
図３〜図５は、本発明の別の実施形態に従う多層または積層構成を有する集積伝送線アレイ１００を含む屈曲部材９０を示している概略図である。集積伝送線アレイ１００は、第１の絶縁層１１０上に延びている第１のトレース１００ａと、第１の絶縁層１１０の下に、そして、第２の絶縁層１１２の上に延びている第２のトレース１００ｂとを含む。第１および第２のトレース１００ａ、１００ｂは、離間していて、少なくとも第１の絶縁層１１０によって互いから電気的に絶縁されている。
【００３３】
第１および第２のトレース１００ａ、１００ｂは、任意選択的に、第１および第２の極性をそれぞれ有する導電トレースの読み出しの組または書き込みの組である。集積伝送線アレイ３４、３６と同様に、集積伝送線アレイ１００は、尾部領域１２６、基部領域１２８、およびジンバル領域１３０を通じて延びる。特に、集積伝送線アレイ１００は、末端コネクタパッド４０のような複数の末端コネクタパッドを有している第１の位置１２０から、先端コネクタパッド４４のような複数の先端コネクタパッドを有している第２の位置１２２への伝送経路に沿って延びる。
【００３４】
図４は、図３の第２の位置１２２に対応する間隔Ｄ１での第１および第２のトレース１００ａ、１００ｂを示している屈曲部材９０の断面の概略図である。次に、図５は、第１の位置１２０に対応する間隔Ｄ２での第１および第２のトレース１００ａ、１００ｂを示している屈曲部材９０の断面の概略図である。第１の位置１２０での間隔Ｄ２は、第２の位置１２２での間隔Ｄ１よりも大きい。いくつかの実施形態では、第１および第２のトレース１００ａ、１００ｂは、間隔Ｄ１がゼロまたはゼロオフセットに近づくように、第２の位置１２２に実質的に垂直に配列される。
【００３５】
図３〜図５に示されるように、隣接する第１および第２のトレース１００ａ、１００ｂ間のトレース間の間隔は、第２の位置１２２に向かって伝送経路に沿って連続的に減少する。参考として、図２Ａと同様に、トレース間の位置がＹ軸に沿って定められるのに対し、伝送経路に沿った相対的な位置は、図３内のＸ軸に沿って定められる。屈曲部材９０のさまざまな部分の相対的な位置も、通常、図３内のＸ軸に沿って示される。
【００３６】
間隔の連続的減少は、任意選択的に、図３に一般的に示されているような線形関数もしくは関係として、または、指数関係もしくは例えば二次関数のような他の非線形関係として起こる。連続的に減少する間隔は、任意選択的に、他の実施形態に関連して参照されるように、伝送経路全体またはその部分上で起こる。間隔が減少すると、集積伝送線アレイ１００の特性インピーダンスも減少する。このように、上記の実施形態と同様に、インピーダンス整合も、任意選択的に、積層トレース構成を有している実施形態において達成される。
【００３７】
上述の記載は、自然に重ねて取り入れられているさまざまな実施形態に関連して記載される特徴および原理と併せて、全体として読まれなければならない。本発明は好ましい実施形態を参照して記述されたが、当業者は、本発明の趣旨および範囲から逸脱することなく、形状および細部で変更を行うことができることを認識するであろう。
【図面の簡単な説明】
【００３８】
【図１】本発明にしたがう屈曲部材を有するディスクドライブヘッドサスペンションの説明図である。
【図２Ａ】図１に示される屈曲部材のトレース間の間隔を示している概略図である。
【図２Ｂ】図１に示される屈曲部材の別のトレース間の間隔を示している概略図である。
【図３】本発明にしたがう別の屈曲部材のトレース間の間隔を示している概略図である。
【図４】本発明にしたがう別の屈曲部材のトレース間の間隔を示している概略図である。
【図５】本発明にしたがう別の屈曲部材のトレース間の間隔を示している概略図である。
【符号の説明】
【００３９】
１０：屈曲部材；  ３４：伝送線アレイ；  ４０：端末コネクタパッド；  ４４：先端コネクタパッド；  ４８：ばね金属層；  ５０：トレース；
【図１】
2008276927.tif 000003
【図２Ａ】
2008276927.tif 000004
【図２Ｂ】
2008276927.tif 000005
【図３】
2008276927.tif 000006
【図４】
2008276927.tif 000007
【図５】
2008276927.tif 000008